(57)【要約】【課題】蓋板の開放時に、楽しい視覚効果を演出することができるケースを提供する。【解決手段】物品を収容な本体１２と、その本体１２の一辺に連結され、本体１２の開口１２１を開閉可能な蓋板１３とを備える。蓋板１３と本体１２との間には、蓋板１３の開放に伴って折り畳み状態からポップアップする装飾体１８を設ける。【選択図】図１
0003184324.tif 000002
【実用新案登録請求の範囲】
【請求項１】
物品を収容な本体と、
その本体の一辺に連結され、本体の開口を開閉可能な蓋板と、
その蓋板と本体との間に設けられ、蓋板の開放に伴って折り畳み状態からポップアップする装飾体と
を有するケース。
【請求項２】
前記本体と蓋板と間に蓋板と同方向に開閉される中蓋板を設け、前記装飾体を蓋板と中蓋板との間に設けた請求項１に記載のケース。
【請求項３】
前記本体の開口縁にフラップを設けるとともに、そのフラップには中蓋板の一部を挟入させるためのスリットを設けた請求項２に記載のケース。
【考案の詳細な説明】
【技術分野】
【０００１】
この考案は、菓子等の物品を収容することに用いられるケースに関するものである。
【背景技術】
【０００２】
従来、この種のケースとしては、上面を開口した本体と、その本体の開口を開閉可能な蓋板とを備え、蓋板を開放することにより、本体の内部に菓子等の物品を収容するようにした構成が知られている。
【０００３】
また、立体絵本としては、隣接するページ間にキャラクタ等の絵柄よりなる装飾体を設け、ページを開放したとき、装飾体が折り畳み状態からホップアップするようにした構成が知られている。
【考案の概要】
【考案が解決しようとする課題】
【０００４】
ところが、前記立体絵本は、絵本としての表示効果のみを得るようにしたものである。
この考案は、このような従来の技術に存在する問題点に着目してなされたものである。その目的は、プレゼント等を収容するためのケースに使用した場合、蓋板の開放時に、楽しい視覚効果を演出することができるケースを提供することにある。
【課題を解決するための手段】
【０００５】
上記の目的を達成するために、このケースは、物品を収容な本体と、その本体の一辺に連結され、本体の開口を開閉可能な蓋板と、その蓋板と本体との間に設けられ、蓋板の開放に伴って折り畳み状態からポップアップする装飾体とを有することを特徴としている。
【０００６】
従って、このケースにおいては、蓋板を開放すると、蓋板と本体との間に設けられた装飾体が折り畳み状態からポップアップする。このため、プレゼント等を収容するためのケースに使用した場合、ホップアップした装飾体によって、楽しい視覚効果を演出することができる。
【考案の効果】
【０００７】
前記のケースによれば、蓋板の開放時に、楽しい視覚効果を演出することができるという効果を発揮する。
【図面の簡単な説明】
【０００８】
【図１】一実施形態のケースを蓋板の開放状態で示す斜視図。
【図２】図１の２−２線における拡大断面図。
【図３】図１のケースを蓋板の閉鎖状態で示す斜視図。
【図４】図３の４−４線における拡大断面図。
【図５】図１のケースを中蓋板の開放状態で示す斜視図。
【考案を実施するための形態】
【０００９】
以下、ケースの一実施形態を、図面に従って説明する。
図１及び図２に示すように、このケース１１は、全体がコート紙、チップボール、段ボール等の厚紙や合成樹脂板等によって形成されている。ケース１１の本体１２は、内部に菓子等の物品を収容するように、上面に開口１２１を有するほぼ四角箱形状に形成されている。本体１２の後辺の上端縁には、本体１２の開口１２１を開閉する蓋板１３が一体に連結形成されている。蓋板１３の先端縁には、開口１２１の閉鎖時に開口１２１の内側縁に係止可能な係止片１３１が折り曲げ形成されている。本体１２の両側辺の上端縁には、一対のフラップ１４が開閉可能に折り曲げ形成されている。
【００１０】
図１及び図２に示すように、前記本体１２上のフラップ１４と蓋板１３と間には、中蓋板１５が蓋板１３と同方向へ開閉されるように設けられている。すなわち、中蓋板１５の後半部分が蓋板１３の裏面に貼着されるとともに、前半部分がフラップ１４上に開閉可能に重合配置されている。各フラップ１４には、閉鎖状態にある中蓋板１５の前半部分の先端両側隅部及び両側縁部を挟入させるための第１スリット１６及び第２スリット１７が形成されている。
【００１１】
図１及び図２に示すように、前記中蓋板１５の中央部には、起立部１５１が中蓋板１５と反対側へ折り畳み可能に切欠形成されている。起立部１５１の前面には、花模様等の絵柄よりなる装飾体１８が貼着されている。そして、蓋板１３の開放に伴って起立部１５１が折り畳み状態から起立されたとき、装飾体１８が折り畳み状態からポップアップされる。中蓋板１５の後半部分の内面には、花模様等の絵柄よりなる補助装飾体１９が貼着されている。
【００１２】
次に、前記のように構成されたケースの作用を説明する。
図３及び図４には、本体１２内に菓子等の物品が収容された状態で、両フラップ１４及び中蓋板１５の前半部分が閉鎖されるとともに、蓋板１３が閉鎖された状態が示されている。この状態から、蓋板１３が開放されると、図１及び図２に示すように、中蓋板１５の起立部１５１が折り畳み状態から起立されて、装飾体１８が折り畳み状態からポップアップされる。よって、ホップアップした装飾体１８により、楽しい視覚効果を得ることができる。
【００１３】
さらに、この蓋板１３の開放状態から、本体１２内の物品を取り出す場合には、図５に示すように、中蓋板１５の前半部分の先端両側隅部及び両側縁部をフラップ１４上の第１スリット１６及び第２スリット１７から離脱させた後に、中蓋板１５の前半部分を蓋板１３側に開放させる。この状態で、両フラップ１４を開放させれば、本体１２内の物品を取り出すことができる。
【００１４】
従って、この実施形態によれば、以下のような効果を得ることができる。
（１）  この実施形態においては、物品を収容な本体１２と、その本体１２の一辺に連結され、本体１２の開口１２１を開閉可能な蓋板１３とが備えられている。蓋板１３と本体１２との間には、蓋板１３の開放に伴って折り畳み状態からポップアップする装飾体１８が設けられている。
【００１５】
このため、このケース１１の蓋板１３を開放すると、蓋板１３と本体１２との間に設けられた装飾体１８が折り畳み状態からポップアップする。よって、プレゼント等を収容するためのケースに使用した場合、ホップアップした装飾体１８によって、楽しい視覚効果を演出することができる。
【００１６】
（２）  この実施形態においては、前記本体１２と蓋板１３と間に蓋板１３と同方向に開閉される中蓋板１５が設けられ、前記装飾体１８が蓋板１３と中蓋板１５との間に設けられている。このため、蓋板１３の開放によりホップアップした装飾体１８を楽しんだ後、中蓋板１５の開放により本体１２内に収容された物品を取り出すことができる。
【００１７】
（３）  この実施形態においては、中蓋板１５が設けられているため、蓋板１３を開放しただけの状態では、本体１２内に収容された物品が中蓋板１５によって覆われる。よって、高級感を醸し出せるとともに、装飾体１８を中蓋板１５に支持させて、蓋板１３の内側に容易に配置できる。
【００１８】
（４）  この実施形態においては、前記本体１２の開口縁にフラップ１４が設けられるとともに、そのフラップ１４には中蓋板１５の一部を挟入させるためのスリット１６，１７が設けられている。このため、中蓋板１５の一部をフラップ１４上のスリット１６，１７に対して挟入または離脱させることにより、中蓋板１５を閉鎖状態に保持させることができるとともに、閉鎖状態から容易に開放させることができる。
【００１９】
（変更例）
なお、この実施形態は、次のように変更して具体化することも可能である。
・  図１に２点鎖線で示すように、中蓋板１５の先端縁１２ａが本体１２の中央部に位置するように、中蓋板１５を短くすること。このようにすれば、中蓋板１５が閉じた状態であっても、本体１２の内容物を確認することができる。従って、装飾体１８を前記内容物とマッチしたものとすれば、箱や内容物の商品価値を高めることができる。また、このようにすれば、中蓋板１５を開放しなくても、本体１２に対して収容物を出し入れできるため、中蓋板１５を本体１２に固定してもよい。なお、この先端縁１２ａは、本体１２の中央部ではなく、蓋板１３の付け根部側に接近していても、あるいは蓋板１３の先端側に接近していてもよい。
【００２０】
・  装飾体１８として、山や人物を立体状にした立体風景や、３段，５段等のひな壇飾りや、印刷，写真等の切り抜きデザイン画等の各種デザインを採用すること。
・  中蓋板１５の先端縁を折り曲げて、その折り曲げ部が本体１２の内壁面に位置するようにすること。このようにすれば、フラップ１４を省略することが可能になる。
【００２１】
・  前記実施形態において、中蓋板１５に複数の起立部１５１を形成して、それらの起立部１５１に異なった絵柄の装飾体１８を貼着すること。
・  前記実施形態において、装飾体１８や補助装飾体１９の絵柄を花模様とは異なった形象に変更すること。
【符号の説明】
【００２２】
１１…ケース、１２…本体、１２１…開口、１３…蓋板、１４…フラップ、１５…中蓋板、１５１…起立部、１６…第１スリット、１７…第２スリット、１８…装飾体。
【図１】
0003184324.tif 000003
【図２】
0003184324.tif 000004
【図３】
0003184324.tif 000005
【図４】
0003184324.tif 000006
【図５】
0003184324.tif 000007